(57)【要約】  【課題】  個々の原稿の画像に対するコピー、ファクシミリ通信による外部への送信等の処理の許可／禁止を容易に、かつ短時間で判定することができる画像処理装置を提供する。  【解決手段】  ＭＦＰ１は、原稿に付与されたＩＣタグに記憶してある識別情報をタグリーダ２３で読み取り、読み取った識別情報に関連付けて処理態様記憶部１３１に記憶してある処理態様で、原稿から読み取った画像を処理しないようにする。処理態様記憶部１３１に記憶してある識別情報を読み取らなかった場合は、前記画像をユーザが所望する処理態様で処理する。【選択図】      図２
2006335051.tif 000002
【特許請求の範囲】
【請求項１】
原稿の画像を読み取り、読み取った画像を、該画像に対して許可されている処理態様で処理する画像処理装置であって、
識別情報が付与されている原稿に付与された識別情報を読み取る識別情報読取手段と、
原稿に付与される識別情報、及び、原稿から読み取った画像に対して禁止されている処理態様を関連付けて記憶する処理態様記憶手段と、
前記識別情報読取手段が前記原稿に付与された識別情報を読み取った場合、読み取った識別情報に関連付けて前記処理態様記憶手段に記憶されている処理態様で、読み取った画像を処理しないようにする処理禁止手段と
を備えることを特徴とする画像処理装置。
【請求項２】
前記禁止されている処理態様での処理は、読み取った画像のプリントアウト、又は読み取った画像の外部への送信であることを特徴とする請求項１に記載の画像処理装置。
【請求項３】
識別情報が付与されている原稿に付与された識別情報を読み取る識別情報読取手段と、
原稿に付与される識別情報、原稿から読み取った画像に対する処理態様、及び、該処理の許可又は禁止を関連付けて記憶する許可／禁止記憶手段と、
前記識別情報読取手段が読み取った識別情報に関連付けて前記許可／禁止記憶手段に前記処理の許可が記憶されている場合、前記識別情報に関連付けて前記許可／禁止記憶手段に記憶されている処理態様で、読み取った画像を処理する許可処理手段と、
前記識別情報読取手段が読み取った識別情報に関連付けて前記許可／禁止記憶手段に前記処理の禁止が記憶されている場合、前記識別情報に関連付けて前記許可／禁止記憶手段に記憶されている処理態様で、読み取った画像を処理しないようにする禁止処理手段と
を備えることを特徴とする画像処理装置。
【請求項４】
前記識別情報読取手段が前記原稿に付与された識別情報を読み取った場合、読み取った識別情報に関連付けて、読み取った画像を所定の処理態様で処理した処理回数を計数する計数手段と、
該計数手段が計数した処理回数が所定回数以上になった場合、前記識別情報に関連付けて、前記処理態様を、前記画像に対して禁止されている処理態様として前記処理態様記憶手段に記憶させる処理追加手段と
を備えることを特徴とする請求項１乃至３の何れか一項に記載の画像処理装置。
【請求項５】
原稿に付与されている識別情報は、原稿に付与されている記憶媒体に記憶してある識別情報であり、
前記識別情報読取手段は、前記記憶媒体に記憶してある識別情報を非接触で読み取るようにしてあることを特徴とする請求項１乃至４の何れか一項に記載の画像処理装置。
【請求項６】
原稿に付与されている識別情報は、原稿の所定位置に付与されている１次元コード又は２次元コードを用いてなり、
前記識別情報読取手段は、原稿の所定位置に付与されている１次元コード又は２次元コードが示す識別情報を読み取るようにしてあることを特徴とする請求項１乃至５の何れか一項に記載の画像処理装置。
【発明の詳細な説明】
【技術分野】
【０００１】
本発明は、原稿から読み取った画像を、該画像に対して許可されている処理態様で処理する画像処理装置に関する。
【背景技術】
【０００２】
スキャナ機能、プリンタ機能、ファクシミリ機能、インターネットファクシミリ機能等を有するＭＦＰ（Multi Functional Peripheral ：デジタル複合機）は、原稿の画像を読み取り、読み取った画像を記録用紙にコピーするか、又は、外部へ送信する。
【０００３】
従来、社外秘、社内秘等、コピー不可の画像を有する原稿を、部外者が勝手にコピー又は送信することを防止するために、正確なパスワードの入力、正規のキーカウンタの挿入等が行なわれた場合に画像のコピー又は送信を行なうＭＦＰが用いられているが、パスワードの入力、キーカウンタの管理、挿入及び抜き取り等が煩雑であるという問題があった。
【０００４】
この問題を解決するために、ＲＦＩＤ（Radio Frequency IDentification：無線通信を利用した非接触による自動認識技術）を利用してＩＣタグに記憶してある識別情報を読み出し、読み出した識別情報に基づいて、画像のコピーの可否を判定する画像形成装置が提案されている。この場合、異なる識別情報が記憶してあるＩＣタグが各ユーザに付与されており、画像形成装置は、ＩＣタグの識別情報に基づいて、画像のコピーが許可されているユーザと禁止されているユーザとを区別し、禁止されているユーザに対しては画像のコピーを行なわないようにしている（特許文献１参照）。
【０００５】
しかしながら、特許文献１の画像形成装置は、ＩＣタグを付与されていない部外者による画像のコピーを防止することはできるが、ＩＣタグを付与されている正規のユーザが、コピー禁止の画像を誤って、又は悪意をもってコピーすることを防止することはできなかった。即ち、個々の原稿の画像に対してコピーの許可／禁止を判定することができないという問題があった。
【０００６】
この問題を解決するために、原稿の画像を読み取り、読み取った画像を解析（例えばＯＣＲソフトを用いてテキスト化）し、所定の文字、単語等が含まれているか否かに応じてコピーの許可／禁止を判定する画像形成装置が考えられる。
【特許文献１】特開２００２−２５８６８４号公報
【特許文献２】特開２００４−８８５８０号公報
【発明の開示】
【発明が解決しようとする課題】
【０００７】
しかしながら、例えばＯＣＲソフトを用いた画像の解析は画像形成装置のＣＰＵに対する計算処理の負担が大きいという問題があった。また、原稿の画像全部を解析する必要があるため、判定結果を得るまでに長時間を要するという問題があった。更に、コピーの許可／禁止を判定するための所定の文字、単語等を予め設定しておく必要があった。更にまた、一般に誤読率が高いため、コピーの許可／禁止の判定を誤ることがあった。
【０００８】
また、特許文献１には、画像の送信の許可／禁止に関しては言及されていない。
【０００９】
ところで、従来、原稿にチップ状のＩＣタグを添付しておき、原稿に添付してあるＩＣタグに記憶してある各種パラメータを読み取り、読み取ったパラメータに応じて原稿の画像をコピーする画像形成装置が提案されている（特許文献２参照）。
【００１０】
本発明は、原稿に付与されたパラメータを読み取る技術の存在に着目してなされたものであり、原稿に付与された識別情報を読み取り、読み取った識別情報に関連付けて記憶してある処理態様では、原稿から読み取った画像を処理しない構成とすることにより、画像のコピーの許可／禁止の判定に限定されることなく、個々の原稿の画像に対する処理の許可／禁止を容易に、かつ短時間で判定することができる画像処理装置を提供することを目的とする。
【００１１】
本発明の他の目的は、読み取った画像のプリントアウト、又は読み取った画像の外部への送信を実行する／実行しない構成とすることにより、個々の原稿の画像を、該画像に対して許可されている処理態様で処理し、禁止されている処理態様では処理しないことができる画像処理装置を提供することにある。
【００１２】
本発明の他の目的は、原稿に付与された識別情報を読み取り、読み取った識別情報に関連付けて記憶してある処理態様で、原稿から読み取った画像を処理し、又は処理しない構成とすることにより、画像のコピーの許可／禁止の判定に限定されることなく、個々の原稿の画像に対する処理の許可／禁止を容易に、かつ短時間で判定することができる画像処理装置を提供することにある。
【００１３】
本発明の他の目的は、個々の原稿の画像に対し、許可されている処理態様での処理回数を計数し、計数した処理回数が上限に達した場合に、前記処理態様での処理を禁止する構成とすることにより、個々の原稿の画像に対する処理の許可を、処理回数に応じて処理の禁止に変更することができる画像処理装置を提供することにある。
【００１４】
本発明の他の目的は、原稿に付与されるＩＣタグのような記憶媒体に記憶される識別情報を、原稿に付与される識別情報として用いる構成とすることにより、特に、書籍のように立体的な形状の原稿の画像に対する処理の許可／禁止を正確に判定することができる画像処理装置を提供することにある。
【００１５】
本発明の更に他の目的は、原稿の所定位置に付与される１次元コード又は２次元コードを、原稿に付与される識別情報として用いる構成とすることにより、特に、シート状の原稿の画像に対する処理の許可／禁止を正確に判定することができる画像処理装置を提供することにある。
【課題を解決するための手段】
【００１６】
第１発明に係る画像処理装置は、原稿の画像を読み取り、読み取った画像を、該画像に対して許可されている処理態様で処理する画像処理装置であって、識別情報が付与されている原稿に付与された識別情報を読み取る識別情報読取手段と、原稿に付与される識別情報、及び、原稿から読み取った画像に対して禁止されている処理態様を関連付けて記憶する処理態様記憶手段と、前記識別情報読取手段が前記原稿に付与された識別情報を読み取った場合、読み取った識別情報に関連付けて前記処理態様記憶手段に記憶されている処理態様で、読み取った画像を処理しないようにする処理禁止手段とを備えることを特徴とする。
【００１７】
第２発明に係る画像処理装置は、前記禁止されている処理態様での処理は、読み取った画像のプリントアウト、又は読み取った画像の外部への送信であることを特徴とする。
【００１８】
第３発明に係る画像処理装置は、識別情報が付与されている原稿に付与された識別情報を読み取る識別情報読取手段と、原稿に付与される識別情報、原稿から読み取った画像に対する処理態様、及び、該処理の許可又は禁止を関連付けて記憶する許可／禁止記憶手段と、前記識別情報読取手段が読み取った識別情報に関連付けて前記許可／禁止記憶手段に前記処理の許可が記憶されている場合、前記識別情報に関連付けて前記許可／禁止記憶手段に記憶されている処理態様で、読み取った画像を処理する許可処理手段と、前記識別情報読取手段が読み取った識別情報に関連付けて前記許可／禁止記憶手段に前記処理の禁止が記憶されている場合、前記識別情報に関連付けて前記許可／禁止記憶手段に記憶されている処理態様で、読み取った画像を処理しないようにする禁止処理手段とを備えることを特徴とする。
【００１９】
第４発明に係る画像処理装置は、前記識別情報読取手段が前記原稿に付与された識別情報を読み取った場合、読み取った識別情報に関連付けて、読み取った画像を所定の処理態様で処理した処理回数を計数する計数手段と、該計数手段が計数した処理回数が所定回数以上になった場合、前記識別情報に関連付けて、前記処理態様を、前記画像に対して禁止されている処理態様として前記処理態様記憶手段に記憶させる処理追加手段とを備えることを特徴とする。
【００２０】
第５発明に係る画像処理装置は、原稿に付与されている識別情報は、原稿に付与されている記憶媒体に記憶してある識別情報であり、前記識別情報読取手段は、前記記憶媒体に記憶してある識別情報を非接触で読み取るようにしてあることを特徴とする。
【００２１】
第６発明に係る画像処理装置は、原稿に付与されている識別情報は、原稿の所定位置に付与されている１次元コード又は２次元コードを用いてなり、前記識別情報読取手段は、原稿の所定位置に付与されている１次元コード又は２次元コードが示す識別情報を読み取るようにしてあることを特徴とする。
【００２２】
第１発明にあっては、識別情報読取手段が、処理態様記憶手段に記憶してある識別情報を原稿から読み取ったか否かに応じて、読み取った画像を処理するか否かを判定する。このために、例えば原稿の画像の作成者が、予め原稿に識別情報を付与しておき、また、処理態様記憶手段に、識別情報と、この識別情報に関連付けて、処理を禁止すべき処理態様とを記憶させておく。
【００２３】
識別情報読取手段が、処理態様記憶手段に記憶してある識別情報を原稿から読み取った場合、読み取った識別情報に関連付けて処理態様記憶手段に記憶されている処理態様での処理（例えば外部への送信）は禁止されているため、この処理態様では、読み取った画像を処理（外部へ送信）しない。しかしながら、前記処理態様以外の処理態様での処理（例えばコピー）は許可されているため、この処理態様で、読み取った画像を処理（コピー）することは可能である。
【００２４】
識別情報読取手段が、処理態様記憶手段に記憶してある識別情報を原稿から読み取っていない場合は、禁止されている処理がないため、許可されている適宜の処理態様で、読み取った画像が処理される。
【００２５】
第２発明にあっては、処理態様記憶手段に、識別情報に関連付けて、読み取った画像のプリントアウト及び読み取った画像の外部への送信の両方又は一方が、例えば原稿の画像の種類、作成者の意図等に応じて記憶してある。識別情報読取手段が、処理態様記憶手段に記憶してある識別情報を原稿から読み取った場合、読み取った画像のプリントアウト（即ち原稿の画像のコピー）及び読み取った画像の外部への送信の両方又は一方が実行されない。
【００２６】
第３発明にあっては、識別情報読取手段が、許可／禁止記憶手段に記憶してある識別情報を原稿から読み取った場合に、読み取った画像を処理するか否かを判定する。このために、例えば原稿の画像の作成者が、予め原稿に識別情報を付与しておき、また、許可／禁止記憶手段に、識別情報と、この識別情報に関連付けて、原稿から読み取った画像に対する処理態様と、該処理の許可又は禁止とを記憶させておく。
【００２７】
識別情報読取手段が、許可／禁止記憶手段に記憶してある識別情報を原稿から読み取った場合、読み取った識別情報に関連付けて、原稿から読み取った画像に対する処理態様（例えば外部への送信）の許可及び禁止の何れが許可／禁止記憶手段に記憶されているかを判定し、許可が記憶されているとき、許可処理手段が、読み取った画像を前記処理態様で処理（外部への送信）する。一方、禁止が記憶されているとき、禁止処理手段が、読み取った画像を前記処理態様で処理（外部への送信）しないようにする。
【００２８】
第４発明にあっては、読み取った識別情報に関連付けて、読み取った画像を所定の処理態様で処理した処理回数を計数する。即ち、識別情報読取手段が識別情報を原稿から読み取った場合、読み取った識別情報に関連付けて処理態様記憶手段に記憶されている処理態様以外の処理態様（即ち許可されている処理態様）の内、所定の処理態様での処理（例えばコピー）を実行したとき、例えば画像処理装置のＲＡＭに、原稿から読み取った識別情報に関連付けて記憶してある処理回数をインクリメントする。
【００２９】
計数した処理回数が所定回数以上になった場合、前記識別情報に関連付けて、所定の処理態様を、禁止されている処理態様として処理態様記憶手段に記憶させる。この後、識別情報読取手段が、処理態様記憶手段に記憶された識別情報に一致する識別情報を原稿から読み取った場合、読み取った識別情報に関連付けて処理態様記憶手段に記憶されている前記所定の処理態様での処理（この場合はコピー）は許可されなくなっているため、この処理態様では、読み取った画像を処理しない。
【００３０】
第５発明にあっては、識別情報読取手段をタグリーダのような読取機で構成し、原稿に付与されたＩＣタグのような記憶媒体に記憶してある識別情報を非接触で読み取る。このために、例えば、識別情報を記憶してある記憶媒体を書籍の背表紙に添付することによって、原稿に識別情報を付与しておく。識別情報読取手段は識別情報を非接触で読み取るため、例えば原稿の画像の読み取り前に識別情報を読み取ることが可能である。
【００３１】
第６発明にあっては、識別情報読取手段を、バーコードリーダ又はＱＲコードリーダのような読取機で構成し、原稿に付与されたバーコード又はＱＲコードのような１次元コード又は２次元コードが示す識別情報を読み取る。このために、例えば、原稿の画像の近傍（原稿の余白）の所定位置に、１次元コード又は２次元コードを形成しておくか、１次元コード又は２次元コードが形成されたシートを添付しておくことによって、原稿に識別情報を付与しておく。識別情報読取手段は、例えば原稿の画像の読み取りと同時的に識別情報を読み取る。
【発明の効果】
【００３２】
第１発明の画像処理装置によれば、例えば社外秘、社内秘等、原稿の画像のコピー、外部への送信等の処理を制限にする必要がある場合に、原稿に識別情報を付与し、この識別情報と、禁止すべき処理態様とを関連付けて処理態様記憶手段に記憶させておくことによって、ユーザが誤って又は悪意をもって、原稿の画像に対して禁止されている処理を画像処理装置に実行させることを防止することができる。
【００３３】
また、処理の許可／禁止を判定する際に、原稿の画像全部を解析する必要がなく、識別情報を読み取り、読み取った識別情報に基づいて処理態様記憶手段に記憶されている識別情報及び該識別情報に関連付けられている処理態様を検索すればよい。このため、画像処理装置の計算処理の負担が小さく、容易に、しかも短時間で、処理の実行の可否を判定することができる。更に、処理の許可／禁止を判定するための所定の文字、単語等を予め設定しておく必要がない。
【００３４】
更にまた、処理態様記憶手段に記憶する処理態様は特定単数の処理態様に限定されないため、原稿の画像毎に、１又は複数の許可する処理態様、及び／又は、１又は複数の禁止する処理態様を設定しておくことができる。
【００３５】
また、識別情報は原稿に付与されているため、ユーザがパスワードの入力、キーカウンタの挿入及び抜き取り等を実行する必要がない。更に、各種の処理を制限する必要がない場合は、原稿に識別情報を付与しておく必要がない。以上のことから、ユーザの利便性を向上させることができる。
【００３６】
第２発明の画像処理装置によれば、必要に応じて、原稿の画像のコピー及び／又は外部への送信を禁止することができ、個々の原稿の画像を、該画像に対して禁止されている処理態様では処理せず、許可されている処理態様で処理することができる。
【００３７】
第３発明の画像処理装置によれば、原稿の画像のコピー、外部への送信等の処理の許可／禁止を制限する必要がある場合に、原稿に識別情報を付与し、この識別情報と、許可すべき処理様態及び／又は禁止すべき処理態様とを関連付けて許可／禁止記憶手段に記憶させておく。このことによって、例えば、ユーザが誤って又は悪意をもって、原稿の画像に対して禁止されている処理を画像処理装置に実行させることを防止することができる。
【００３８】
また、処理の許可／禁止を判定する際に、原稿の画像全部を解析する必要がなく、識別情報を読み取り、読み取った識別情報に基づいて許可／禁止記憶手段に記憶されている識別情報、該識別情報に関連付けられている許可／禁止の情報、及び処理態様を検索すればよい。このため、画像処理装置の計算処理の負担が小さく、容易に、しかも短時間で、処理の実行の可否を判定することができる。更に、処理の許可／禁止を判定するための所定の文字、単語等を予め設定しておく必要がない。
【００３９】
更にまた、許可／禁止記憶手段に記憶する処理態様は特定単数の処理態様に限定されないため、原稿の画像毎に、１又は複数の許可する処理態様、及び／又は、１又は複数の禁止する処理態様を設定しておくことができる。
【００４０】
また、識別情報は原稿に付与されているため、ユーザがパスワードの入力、キーカウンタの挿入及び抜き取り等を実行する必要がない。更に、各種の処理を制限する必要がない場合は、原稿に識別情報を付与しておく必要がない。以上のことから、ユーザの利便性を向上させることができる。
【００４１】
第４発明の画像処理装置によれば、回数制限を設けて、所定の処理態様での処理を許可することができ、処理回数が上限に達した場合に、この処理態様での処理を禁止することができる。
【００４２】
第５発明の画像処理装置によれば、ＩＣタグのような記憶媒体に記憶してある識別情報の読取精度は、例えばＯＣＲによる画像の読取精度に比べて高いため、処理の許可／禁止の判定を正確に行なうことができる。また、例えば原稿を画像処理装置の読取部にセットする前に識別情報を読み取って処理の許可／禁止の判定を行なうことができ、処理が禁止されている場合は原稿の画像を読み取らないようにすることができるため、無駄な画像の読み取りを防止することができる。更に、例えば記憶媒体を書籍の背表紙に添付しておくことによって、書籍の各ページ毎に識別情報を付与する必要がなく、ユーザの利便性を向上させることができる。
【００４３】
第６発明の画像処理装置によれば、１次元コード又は２次元コードが示す識別情報の読取精度は、例えばＯＣＲによる画像の読取精度に比べて高いため、処理の許可／禁止の判定を正確に行なうことができる。また、例えば原稿が画像を読み取る際に同時的に識別情報を読み取って処理の許可／禁止の判定を行なうことができるため、識別情報の読み取りと画像の読み取りとを個別に行なう必要がなく、効率的である。
【００４４】
更に、１次元コード又は２次元コードを原稿に直接形成するか、１次元コード又は２次元コードが形成されたシートを原稿に添付することによって、原稿に識別情報を付与することができるため、シート状の原稿を自動搬送装置にセットして画像処理装置の読取部へ自動的に搬送する際に、１次元コード又は２次元コードが原稿の搬送を阻害することがない。更にまた、１次元コード及び２次元コードの書込機のコスト、識別情報読取手段のコスト等は、例えばＩＣタグのコスト、ＩＣタグに識別情報を書き込む書込機のコスト、識別情報を読み取る読取機のコスト等よりも安価である。
【００４５】
また、例えば読み取った画像を記録用紙に形成する場合に、原稿に付与されていた１次元コード又は２次元コードも前記記録用紙に形成することができ、このとき、コピーされた画像を有する記録用紙に対しても、１次元コード又は２次元コードを付与することができる。
【発明を実施するための最良の形態】
【００４６】
以下、本発明を、その実施の形態を示す図面に基づいて詳述する。
【００４７】
実施の形態  １．
図１は、本発明の実施の形態１に係る画像処理装置としてのＭＦＰ１を備える通信システムの構成を示す説明図であり、図２は、ＭＦＰ１の構成を示すブロック図である。ＭＦＰ１は、スキャナ機能、プリンタ機能、コピー機能、ファクシミリ（ＦＡＸ）機能、インターネットファクシミリ（Ｉ−ＦＡＸ）機能等、複数の機能を有するデジタル複合機であり、原稿の画像を読み取って、読み取った画像を記録用紙に形成し、又は、読み取った画像を外部へ送信する。以下では、ＭＦＰ１のコピー機能、ＦＡＸ機能等について主に説明する。
【００４８】
ＭＦＰ１は、一の会社の室内Ｒに設置してある。ＭＦＰ１のユーザは、書籍、書類等の原稿Ｂ１，Ｂ２，…の画像をＭＦＰ１でコピーし、又はファクシミリ通信で外部へ送信する。原稿Ｂ１，Ｂ２，Ｂ３，Ｂ４は社外秘、社内秘等の内容を含んでいるためコピー及び外部への送信を制限する必要がある。このため、夫々に、内容の重要度、著作権等に応じて、コピー又は外部への送信の可否、コピーの回数制限の有無、コピー回数の上限等が予め設定されている。原稿Ｂ５は社外秘、社内秘等の内容を含まないため、コピー及び外部への送信を制限する必要はない。
【００４９】
原稿Ｂ１〜Ｂ４夫々には、ＩＣタグＴ１〜Ｔ４夫々が付与されており、原稿Ｂ５には付与されていない。ＩＣタグＴ１，Ｔ２，…は、図示しない内蔵のＩＣに夫々異なる識別情報を記憶する。また、ＩＣタグＴ１，Ｔ２，…はパッシブ型のＩＣタグであり、タグリーダ２３が発信した電波による起電力で前記ＩＣを駆動し、また、受信した電波を用いて（反射して）前記ＩＣに記憶してある識別情報を返信する。なお、ＩＣタグＴ１，Ｔ２，…は、パッシブ型に限らず、内蔵電池でＩＣを駆動し、受信した電波を反射するセミパッシブ型、又は内蔵電池で自ら電波を発信するアクティブ型でもよい。
【００５０】
図１においては、原稿Ｂ２，Ｂ３，Ｂ４として書籍を例示し、原稿Ｂ１として箱型のファイルケースに収容されたシート状の書類を例示している。原稿Ｂ２，Ｂ３，Ｂ４は、書籍の背表紙又は表紙に、ラベル型のＩＣタグＴ２，Ｔ３，Ｔ４が添付されている。ところで、ＭＦＰ１は、ＭＦＰ１にセットされた書類を読取部１８１の画像読取位置へ自動的に搬送する図示しない自動搬送装置を備える。しかしながら、ＩＣタグの厚みは書類の厚みと比べて大きいため、書類にＩＣタグを添付した場合、自動搬送装置による書類の搬送をＩＣタグが阻害する。このため、原稿Ｂ１に対しては、ファイルケースにＩＣタグＴ１が添付されており、ユーザは、原稿Ｂ１をコピー又は送信する場合、原稿Ｂ１をファイルケースごとＭＦＰ１が設置されている場所まで持ち運ぶ。
【００５１】
タグリーダ２３はＭＦＰ１に備えられており、所定の周波数の電波を発信し、ＩＣタグＴ１，Ｔ２，…が反射した電波を受信して、ＩＣタグに記憶してある識別情報を読み取る。タグリーダ２３の識別情報読取範囲は室内ＲにおけるＭＦＰ１の周辺領域Ａであり、タグリーダ２３は、周辺領域Ａの外部に存在するＩＣタグＴ１，Ｔ２，…の識別情報を読み取ることはできない。この周辺領域Ａに存在するユーザは、ＭＦＰ１が備える操作パネル１４の表示部１４１を容易に視認して操作部１４２に手を触れることができる。
【００５２】
周辺領域Ａに複数の原稿Ｂ１〜Ｂ４が存在する場合、タグリーダ２３は、ＭＦＰ１からの離隔距離が最も小さい原稿の識別情報を読み取る。このために、周辺領域ＡをＭＦＰ１からの距離に応じて複数の領域に分割し、分割された領域毎に、異なる周波数の電波をタグリーダ２３が発信し、最もＭＦＰ１に近い領域へ発信した電波に対応してタグリーダ２３が読み取った識別情報を、ＣＰＵ１０が、ＭＦＰ１からの離隔距離が最も小さい原稿の識別情報であると判定する。
【００５３】
ＭＦＰ１は、Ｉ／Ｆ（インタフェース）１５を介してＬＡＮ４に接続され、また、ＮＣＵ（ネットワーク・コントロール・ユニット）１６を介して電話回線Ｐに接続されており、更に、ＬＡＮ４を介してインターネットＮに接続されている。
【００５４】
ＭＦＰ１、及び電話回線Ｐに接続された外部のＦＡＸ装置（図示せず）には、夫々固有のＦＡＸ番号が付与されており、ＭＦＰ１及び外部のＦＡＸ装置は、ＩＴＵ−Ｔ勧告Ｔ．３０の標準通信規格の手順に従って作動し、所定のプロトコルに従ってＦＡＸ通信用の画像（以下、ＦＡＸ画像という）を送受信するよう夫々構成されている。
【００５５】
また、ＭＦＰ１、及びインターネットＮに接続された外部のＩ−ＦＡＸ装置（図示せず）には、夫々固有のメールアドレスが付与されており、ＭＦＰ１及び外部のＩ−ＦＡＸ装置は、所定のプロトコル（例えばＳＭＴＰ）に従ってＩ−ＦＡＸ通信用の電子メールを送受信するよう夫々構成されている。これらのＦＡＸ装置及びＩ−ＦＡＸ装置は、他の会社の室内に設置してある。
【００５６】
Ｉ−ＦＡＸ通信用の電子メールは、Ｉ−ＦＡＸ通信用の画像（以下、Ｉ−ＦＡＸ画像という）と、送信元であるＩ−ＦＡＸ装置のメールアドレス、Ｉ−ＦＡＸ画像の符号化方式等の情報を有するヘッダとを含む。ヘッダ及びＩ−ＦＡＸ画像は、夫々テキストデータを用いてなる。
【００５７】
ＭＦＰ１は、ＣＰＵ１０、ＲＯＭ１１、ＲＡＭ１２及びＥＥＰＲＯＭ１３を備え、ＣＰＵ１０は、ＲＡＭ１２を作業領域として用い、ＲＯＭ１１に記憶された制御プログラム及びデータとＥＥＰＲＯＭ１３に記憶されたデータとに従って装置各部を制御し、各種処理を実行する。ＥＥＰＲＯＭ１３の記憶領域の一部は、原稿に付与される識別情報、即ち原稿に付与されているＩＣタグＴ１，Ｔ２，…に記憶される識別情報と、原稿から読み取った画像に対して禁止されている処理態様とを関連付けて記憶する処理態様記憶部１３１である。
【００５８】
ＣＰＵ１０は、Ｉ／Ｆ１５を介して受信した電子メール、又は送信すべき電子メールをＲＡＭ１２に記憶させる。また、ＣＰＵ１０は、受信した電子メールからＩ−ＦＡＸ画像とヘッダとを分離し、又は、Ｉ−ＦＡＸ画像とヘッダとを含ませた送信すべき電子メールを生成する。更に、ＣＰＵ１０は、符号化されていない画像（以下、通常画像という）又はＩ−ＦＡＸ画像を電子メール変換部２２に入力して、所定の符号化方式（例えばＭＩＭＥのbase64）で通常画像とＩ−ＦＡＸ画像とを相互に変換させる。
【００５９】
ＭＦＰ１の操作パネル１４は、液晶パネルを用いてなる表示部１４１、及び表示部１４１に重ねて配置してあり、タッチパネルを用いてなる操作部１４２を備える。ＣＰＵ１０は、表示部１４１を見ながらユーザがＭＦＰ１を操作するための各種ファンクションキーを操作部１４２に設ける。表示部１４１は、ＣＰＵ１０に制御されて、例えばＭＦＰ１の動作状態、ユーザに対する入力指示、操作部１４２に設けられたファンクションキーの位置を示す画像等を表示する。なお、操作パネル１４は、操作部１４２の他に、ハードキーを備える構成でもよい。
【００６０】
ＭＦＰ１の読取部１８１は、読取部１８１の画像読取位置にセットされた原稿の画像を光学的に読み取る。更にＭＦＰ１は、ＤＲＡＭを用いてなり、通常画像及び／又はＦＡＸ画像を記憶する画像メモリ２０を備える。更にまた、ＭＦＰ１は、所定の符号化方式で通常画像の符号化とＦＡＸ画像の復号とを行なうＣＯＤＥＣ（符号化・復号器）１９、電話回線Ｐの回線制御を行なうＮＣＵ１６、及び、電話回線Ｐを介して、図示しないＦＡＸ装置との間でＦＡＸ画像を送受信するモデム１７を備える。ＭＦＰ１の記録部２１は、電子写真方式のプリンタ装置及びプリンタ装置へ用紙を供給する給紙装置で構成されており、画像メモリ２０に記憶された通常画像に基づいて記録用紙に画像を形成する。
【００６１】
図３は、処理態様記憶部１３１に記憶してあるデータの一例を示す模式図である。処理態様記憶部１３１には、ＩＣタグＴ１，Ｔ２，…夫々に記憶してある識別情報（図中“識別情報”）と、原稿Ｂ１，Ｂ２，…から読み取った画像に対して許可されている処理態様及び禁止されている処理態様（図中“処理態様”）とを関連付けて記憶してある。
【００６２】
以下では、原稿Ｂ１，Ｂ２，…から読み取った画像の処理態様として、ＦＡＸ通信による送信（図中“ＦＡＸ通信”）、及び、画像のコピー（図中“コピー”）を例示する。また、処理の回数制限は、コピーの回数制限を例示する。
【００６３】
更に詳細には、処理態様記憶部１３１には、ＩＣタグＴ１，Ｔ２，…夫々の識別情報に関連付けて、各処理態様での処理が許可されていることを示す情報（図中“○”）、又は禁止されていることを示す情報（図中“×”）が記憶してある。また、処理態様記憶部１３１には、ＩＣタグＴ１，Ｔ２，…夫々の識別情報に関連付けて、画像がコピーされたコピー回数（図中“コピー回数”）、及びコピーの上限回数（図中“コピー上限回数”）が記憶してある。
【００６４】
例えば、識別情報“ＴＹＰＥ−Ａ”の原稿Ｂ１（識別情報“ＴＹＰＥ−Ａ”を記憶しているＩＣタグＴ１が付与された原稿Ｂ１）に対しては、ＦＡＸ通信による送信及び画像のコピー両方が許可されており、コピーの回数制限はない。このため、識別情報“ＴＹＰＥ−Ａ”に関連付けて、ＦＡＸ通信が許可されていることを示す情報とコピーが許可されていることを示す情報とが処理態様記憶部１３１に記憶してあり、コピー回数及び上限回数は記憶されていない。
【００６５】
一方、識別情報“ＴＹＰＥ−Ｃ”の原稿Ｂ３に対しては、画像のコピーのみが許可されており、コピーの回数制限は５回である。このため、原稿Ｂ３のコピー回数が５回未満であるときは、図３（ａ）に示すように、識別情報“ＴＹＰＥ−Ｃ”に関連付けて、ＦＡＸ通信が禁止されていることを示す情報とコピーが許可されていることを示す情報とコピー回数（例えば“１”）と上限回数“５”とが処理態様記憶部１３１に記憶してある。また、原稿Ｂ３のコピー回数が５回に達したときは、図３（ｂ）に示すように、識別情報“ＴＹＰＥ−Ｃ”に関連付けて、ＦＡＸ通信が禁止されていることを示す情報とコピーが禁止されていることを示す情報とコピー回数“５”と上限回数“５”とが処理態様記憶部１３１に記憶してある。
【００６６】
以上のようなデータは、例えばＭＦＰ１の管理者が操作パネル１４を用いてＭＦＰ１に入力する。ただし、コピー回数は、ＣＰＵ１０が処理態様記憶部１３１に記憶させる。
【００６７】
ＣＰＵ１０は、識別情報に基づいて処理態様記憶部１３１を検索し、検索結果として、各処理態様での処理が許可されていることを示す情報を読み取った場合、許可されている処理に関する入力をユーザが行なうためのファンクションキーを操作部１４２に設け、許可されている処理を報知する画面（以下、許可画面）を表示部１４１に表示させる。
【００６８】
逆に、各処理態様での処理が禁止されていることを示す情報を読み取った場合、ＣＰＵ１０は、この処理に関する入力をユーザが行なうためのファンクションキーを操作部１４２に設けない。操作部１４２にファンクションキーを全く設けない場合、ＣＰＵ１０は、処理が禁止されていることを報知する画面（以下、禁止画面という）を表示部１４１に表示させる。
【００６９】
図４は、表示部１４１に表示される画面及び操作部１４２に設けられるキーの一例を示す模式図である。ＦＡＸ通信による送信及び画像のコピーが両方とも許可されている識別情報“ＴＹＰＥ−Ａ”の原稿Ｂ１、及び識別情報が付与されていない原稿Ｂ５が、ユーザによって周辺領域Ａ内に持ち込まれた場合、操作パネル１４の表示部１４１には図４（ａ）に示すような許可画面が表示され、また、操作部１４２にはＦＡＸ通信キー１４ａ及びコピーキー１４ｂが設けられる。許可画面には、操作部１４２に設けられたファンクションキーの位置、及びこのファンクションキーに対応する処理を示す画像（例えば“ＦＡＸ通信”、“コピー”等の文字）が含まれている。即ち、許可画面には、許可されている処理の種類をユーザに報知する表示内容が含まれている。
【００７０】
また、画像のコピーのみが許可されている識別情報“ＴＹＰＥ−Ｂ”の原稿Ｂ２が周辺領域Ａ内に持ち込まれた場合、又は、コピー回数が５回未満の状態で識別情報“ＴＹＰＥ−Ｃ”の原稿Ｂ３が周辺領域Ａ内に持ち込まれた場合、図示はしないが、操作部１４２にはコピーキー１４ｂが設けられ、ＦＡＸ通信キー１４ａは設けられない。また、操作部１４２に設けられたコピーキー１４ｂに応じた許可画面が表示部１４１に表示される。
【００７１】
一方、ＦＡＸ通信による送信及び画像のコピーが両方とも禁止されている“ＴＹＰＥ−Ｄ”の原稿Ｂ４が周辺領域Ａ内に持ち込まれた場合、又は、コピー回数が５回の状態で識別情報“ＴＹＰＥ−Ｃ”の原稿Ｂ３が周辺領域Ａ内に持ち込まれた場合、操作パネル１４の表示部１４１には図４（ｂ）に示すような禁止画面が表示され、また、操作部１４２にはファンクションキーが設けられない。禁止画面には、全ての処理態様での処理が禁止されていることをユーザに報知する表示内容（図中“ＦＡＸ通信及びコピーは禁止されています”）が含まれている。
【００７２】
ＦＡＸ通信キー１４ａが操作された場合、表示部１４１には許可画面に替えてＦＡＸ通信に関する入力指示画面が表示され、また、操作部１４２にはＦＡＸ通信に関するファンクションキーが設けられて、宛先のＦＡＸ番号、解像度等、処理内容の受け付けが行なわれる。ＦＡＸ通信を行なう場合、ＣＰＵ１０は、読取部１８１の画像読取位置にセットされた原稿を読取部１８１で読み取ってなる通常画像をＣＯＤＥＣ１９へ入力することによって、所定の符号化方式で符号化されたＦＡＸ画像に変換し、変換したＦＡＸ画像を画像メモリ２０に記憶させる。次いでＣＰＵ１０は、画像メモリ２０に記憶させたＦＡＸ画像を読み出して、操作部１４２で受け付けた宛先のＦＡＸ番号を有するＦＡＸ装置へ電話回線Ｐを介して送信する。
【００７３】
また、コピーキー１４ｂが操作された場合、ＦＡＸ通信キー１４ａが操作された場合と同様に、操作パネル１４には画像のコピーに関する入力指示画面の表示がなされ、ファンクションキーが設けられて、濃度、拡大／縮小倍率等、処理内容の受け付けが行なわれる。コピーを行なう場合、ＣＰＵ１０は、読取部１８１の画像読取位置にセットされた原稿を読取部１８１で読み取ってなる通常画像を画像メモリ２０に記憶させ、画像メモリ２０に記憶させた通常画像を読み出して記録部２１へ入力することによってプリントアウトする。
【００７４】
図５及び図６は、ＣＰＵ１０が実行する許可／禁止判定処理の手順を示すフローチャートである。ＣＰＵ１０は、図４（ａ）に示すような許可画面を表示部１４１に表示させ、更にＦＡＸ通信キー１４ａ及びコピーキー１４ｂの両方（以下、両キーという）を操作部１４２に設ける（Ｓ１１）。
【００７５】
また、ＣＰＵ１０は、タグリーダ２３が識別情報を読み取ったか否かを判定する（Ｓ１２）。タグリーダ２３が識別情報を読み取った場合（Ｓ１２でＹＥＳ）、ＣＰＵ１０は、タグリーダ２３が読み取った識別情報に基づいて処理態様記憶部１３１を検索し（Ｓ１３）、Ｓ１２でタグリーダ２３が読み取った識別情報に関連付けて、各処理態様での処理が許可されていることを示す情報が１個以上、処理態様記憶部１３１に記憶してあるか否かを判定する（Ｓ１４）。
【００７６】
各処理態様での処理が許可されていることを示す情報が処理態様記憶部１３１に全く記憶されていない場合（Ｓ１４でＮＯ）、ＣＰＵ１０は、図４（ｂ）に示すような禁止画面を表示部１４１に表示させ、更に、両キーを操作部１４２に設けないようにする（Ｓ１５）。
【００７７】
更にＣＰＵ１０は、Ｓ１２で読み取った識別情報をタグリーダ２３が読み取ったか否かを判定する（Ｓ１６）。この識別情報を読み取った場合（Ｓ１６でＹＥＳ）、Ｓ１２で読み取った識別情報に係る原稿がまだ周辺領域Ａ内に存在するため、ＣＰＵ１０は原稿が周辺領域Ａ内から持ち去られるまで待機する。また、Ｓ１２で読み取った識別情報をタグリーダ２３が読み取っていない場合（Ｓ１６でＮＯ）、この識別情報に係る原稿が周辺領域Ａ内から持ち去られたため、ＣＰＵ１０は処理をＳ１１へ戻す。
【００７８】
Ｓ１２でタグリーダ２３が読み取った識別情報に関連付けて、各処理態様での処理が許可されていることを示す情報が１個以上記憶してある場合（Ｓ１４でＹＥＳ）、ＣＰＵ１０は、許可されている処理に対応するファンクションキー（ＦＡＸ通信キー１４ａ及びコピーキー１４ｂの両方又は一方。以下、許可キーという）を操作部１４２に設け（Ｓ１７）、許可されている処理に対応する許可画面を表示部１４１に表示させる。
【００７９】
更に、ＣＰＵ１０は、Ｓ１７で設けた許可キーが操作されたか否かを判定し（Ｓ１８）、操作されていない場合（Ｓ１８でＮＯ）、Ｓ１２で読み取った識別情報をタグリーダ２３が読み取ったか否かを判定する（Ｓ１９）。この識別情報を読み取った場合（Ｓ１９でＹＥＳ）、Ｓ１２で読み取った識別情報に係る原稿がまだ周辺領域Ａ内に存在するため、ＣＰＵ１０は処理をＳ１８へ戻す。また、Ｓ１２で読み取った識別情報をタグリーダ２３が読み取っていない場合（Ｓ１９でＮＯ）、この識別情報に係る原稿が周辺領域Ａ内から持ち去られたため、ＣＰＵ１０は処理をＳ１１へ戻す。
【００８０】
タグリーダ２３が識別情報を読み取っていない場合（Ｓ１２でＮＯ）、ＣＰＵ１０は、Ｓ１１で設けた両キーの内の一方が操作されたか否かを判定し（Ｓ２０）、操作されていない場合（Ｓ２０でＮＯ）、処理をＳ１２へ戻す。
【００８１】
Ｓ１１で設けた両キーの内の一方が操作された場合（Ｓ２０でＹＥＳ）、又は、Ｓ１７で設けた許可キーが操作された場合（Ｓ１８でＹＥＳ）、ＣＰＵ１０は、操作されたＦＡＸ通信キー１４ａ又はコピーキー１４ｂに応じて、ＦＡＸ通信による送信に係る処理内容（宛先のＦＡＸ番号、解像度等）又はコピーに係る処理内容（濃度、コピー枚数等）を受け付ける（Ｓ２１）。更に、ＣＰＵ１０は、読取部１８１の画像読取位置にセットされた原稿を読取部１８１で読み取り（Ｓ２２）、読み取った通常画像を画像メモリ２０に記憶させる（Ｓ２３）。
【００８２】
次いで、ＣＰＵ１０は、読み取った画像に対する処理を実行する（Ｓ３１）。具体的には、画像メモリ２０に記憶させた通常画像をＦＡＸ画像に変換してＦＡＸ通信で外部へ送信するか、又は、画像メモリ２０に記憶させた通常画像を記録用紙に形成する。Ｓ３１の処理完了後、ＣＰＵ１０は、画像メモリ２０に記憶させた通常画像を消去する（Ｓ３２）。
【００８３】
また、ＣＰＵ１０は、Ｓ１２でタグリーダ２３が識別情報を読み取ったか否かを判定し（Ｓ３３）、読み取った場合（Ｓ３３でＹＥＳ）、Ｓ３１で処理した通常画像はＩＣタグＴ１〜Ｔ３が付与されている原稿Ｂ１〜Ｂ３から読み取った画像であるため、読み取った識別情報に関連付けて処理態様記憶部１３１にコピーの上限回数が記憶されているか否かを判定する（Ｓ３４）。
【００８４】
上限回数が記憶されている場合（Ｓ３４でＹＥＳ）、Ｓ３１で処理した通常画像は原稿Ｂ３から読み取った画像であるため、ＣＰＵ１０は、Ｓ１２で読み取った識別情報に関連付けて処理態様記憶部１３１に記憶してあるコピー回数をインクリメントし（Ｓ３５）、更に、インクリメントされたコピー回数が、前記上限回数以上になったか否かを判定する（Ｓ３６）。コピー回数≧上限回数である場合（Ｓ３６でＹＥＳ）、原稿Ｂ３の画像のコピー回数が上限に達したため、ＣＰＵ１０は、Ｓ１２で読み取った識別情報に関連付けて、コピーが許可されていることを示す情報に上書きして、コピーが禁止されていることを示す情報を処理態様記憶部１３１に記憶させ（Ｓ３７）、処理をＳ１１へ戻す。これ以降、ＭＦＰ１において原稿Ｂ３の画像はコピー不可能になる。
【００８５】
Ｓ３５でインクリメントされたコピー回数が、Ｓ１２で読み取った識別情報に関連付けて処理態様記憶部１３１に記憶してある上限回数未満である場合（Ｓ３６でＮＯ）、原稿Ｂ３の画像のコピー回数はまだ上限に達していないため、ＣＰＵ１０は、Ｓ３７の処理を行なわずに、処理をＳ１１へ戻す。
【００８６】
Ｓ１２でタグリーダ２３が読み取った識別情報に関連付けて処理態様記憶部１３１にコピーの上限回数が記憶されていない場合（Ｓ３４でＮＯ）、Ｓ３１で処理した通常画像は、コピーの回数制限がない原稿Ｂ１，Ｂ２の画像であるため、ＣＰＵ１０は、Ｓ３５〜Ｓ３７の処理を行なわずに、処理をＳ１１へ戻す。
【００８７】
Ｓ１２でタグリーダ２３が識別情報を読み取っていない場合（Ｓ３３でＮＯ）、Ｓ３１で処理した通常画像は、ＩＣタグが付与されていない原稿Ｂ５の画像であるため、ＣＰＵ１０は、Ｓ３４〜Ｓ３７の処理を行なわずに、処理をＳ１１へ戻す。
【００８８】
以上のような許可／禁止判定処理におけるＭＦＰ１は、原稿の画像を読み取り、読み取った画像を、該画像に対して許可されている処理態様で処理（読み取った画像の外部への送信、又は読み取った画像のプリントアウト）する画像処理装置として機能する。また、タグリーダ２３は、識別情報が付与されている原稿に付与された識別情報を読み取る識別情報読取手段、即ち原稿に付与されている記憶媒体（ＩＣタグ）に記憶してある識別情報を非接触で読み取る識別情報読取手段として機能する。
【００８９】
更に、処理態様記憶部１３１は、原稿に付与される識別情報、及び、原稿から読み取った画像に対して禁止されている処理態様を関連付けて記憶する処理態様記憶手段として機能し、更に、原稿に付与される識別情報、原稿から読み取った画像に対する処理態様、及び、該処理の許可又は禁止を関連付けて記憶する許可／禁止記憶手段としても機能する。
【００９０】
更にまた、Ｓ１４，Ｓ１５，Ｓ１７におけるＣＰＵ１０は、前記識別情報読取手段が前記原稿に付与された識別情報を読み取った場合、読み取った識別情報に関連付けて前記処理態様記憶手段に記憶されている処理態様で、読み取った画像を処理しないようにする処理禁止手段として機能する。
【００９１】
更に、Ｓ１４，Ｓ１５，Ｓ１７におけるＣＰＵ１０は、前記識別情報読取手段が前記原稿に付与された識別情報を読み取った場合、読み取った識別情報に関連付けて前記許可／禁止記憶手段に前記処理の許可が記憶されているとき、前記識別情報に関連付けて前記許可／禁止記憶手段に記憶されている処理態様で、読み取った画像を処理する許可処理手段としても機能する。更にまた、前記ＣＰＵ１０は、前記識別情報読取手段が前記原稿に付与された識別情報を読み取った場合、読み取った識別情報に関連付けて前記許可／禁止記憶手段に前記処理の禁止が記憶されているとき、前記識別情報に関連付けて前記許可／禁止記憶手段に記憶されている処理態様で、読み取った画像を処理しないようにする禁止処理手段としても機能する。
【００９２】
また、Ｓ３５におけるＣＰＵ１０は、前記識別情報読取手段が前記原稿に付与された識別情報を読み取った場合、読み取った識別情報に関連付けて、読み取った画像を所定の処理態様で処理した処理回数を計数する計数手段として機能する。
【００９３】
更に、Ｓ３７におけるＣＰＵ１０は、前記計数手段が計数した処理回数が所定回数以上になった場合、前記識別情報に関連付けて、前記処理態様を、前記画像に対して禁止されている処理態様として前記処理態様記憶手段に記憶させる処理追加手段として機能する。
【００９４】
以上のようなＭＦＰ１は、ＩＣタグＴ１，Ｔ２，…を利用して、原稿の画像に対する処理を制限することができる（コピー禁止、送信禁止、回数制限、禁止された処理の報知）。これにより、正確なパスワードの入力、正規のキーカウンタの挿入等を行なうことなく、社外秘、社内秘等、コピー不可又は外部への送信不可の画像を有する原稿を、部外者が勝手にコピー又は送信することを防止することができる。また、ＩＣタグＴ１，Ｔ２，…に記憶してある識別情報に基づいて、個々の原稿の画像に対してコピーの許可／禁止を判定することができるため、例えばＯＣＲソフトを用いた画像の解析を行なうことなく、正規のユーザが誤って又は悪意をもって、コピー不可又は外部への送信不可の画像を有する原稿をコピー又は送信することを防止することができる。
【００９５】
更に、コピーされた画像、又は外部へ送信された画像には、識別情報が付与されないため、不要な識別情報をコピーし、又は外部へ送信することを防止することができる。
【００９６】
実施の形態  ２．
図７は、本発明の実施の形態２に係る画像処理装置としてのＭＦＰ１の構成を示すブロック図であり、図８は、ＭＦＰ１に対して使用される原稿の一例を示す説明図である。ＭＦＰ１のユーザは、シート状の原稿Ｐ１，Ｐ２、又は図示しないシート状の原稿Ｐ３の画像をＭＦＰ１でコピーし、又はファクシミリ通信で外部へ送信する。原稿Ｐ１，Ｐ２は、社外秘、社内秘等の内容を含んでいるためコピー及び外部への送信を制限する必要がある。このため、夫々に、内容の重要度、著作権等に応じて、コピー又は外部への送信の可否、コピーの回数制限の有無、コピー回数の上限等が予め設定されている。原稿Ｐ３は社外秘、社内秘等の内容を含まないため、コピー及び外部への送信を制限する必要はない。
【００９７】
原稿Ｐ１，Ｐ２夫々にはバーコードＣ１，Ｃ２夫々が付与されており、原稿Ｐ３には付与されていない。バーコードＣ１，Ｃ２は、夫々図３に示す“ＴＹＰＥ−Ａ”，“ＴＹＰＥ−Ｂ”等のような識別情報を示す１次元コードである。バーコードＣ１は、原稿Ｐ１の余白に直接的に形成されることによって原稿Ｐ１に付与してあり、バーコードＣ２は、原稿Ｐ２の余白に、バーコードＣ２が形成されたシートＳが貼付されることによって原稿Ｐ２に付与してある。ここで、バーコードＣ１，Ｃ２の原稿Ｐ１，Ｐ２に対する付与位置は略同一である。
【００９８】
バーコードＣ１は、例えば原稿Ｐ１となすべき記録用紙にＭＦＰ１の記録部２１で画像を形成する際、該画像と同時的に記録用紙に形成される。一方、バーコードＣ２は、原稿Ｐ２とは別個に、例えばＭＦＰ１の記録部２１でシートＳに形成される。このため、バーコードＣ２は、例えばバーコードＣ１の上から貼付することも可能である。
【００９９】
ところで、ＭＦＰ１は、ＭＦＰ１にセットされた書類を読取部１８２の画像読取位置へ自動的に搬送する図示しない自動搬送装置を備える。バーコードＣ１，Ｃ２の厚みは存在しないか、原稿Ｐ１，Ｐ２の厚みと同程度の小ささであるため、原稿Ｐ１，Ｐ２にバーコードＣ１，Ｃ２を付与した場合でも、自動搬送装置による原稿Ｐ１，Ｐ２の搬送がバーコードＣ１，Ｃ２によって阻害されることはない。
【０１００】
なお、複数枚のシート状の原稿１セットに対し、各原稿に夫々バーコードを付与する構成でもよく、最初の１枚にのみバーコードを設け、このバーコードが示す識別情報を、１セットの原稿全部に適用してもよい。以下では、各原稿に夫々バーコードを付与する場合を例示する。
【０１０１】
処理態様記憶部１３１には、実施の形態１と同様にして、バーコードＣ１，Ｃ２夫々の識別情報に関連付けて、各処理態様での処理が許可されていることを示す情報、又は禁止されていることを示す情報が記憶してある。また、処理態様記憶部１３１には、バーコードＣ１，Ｃ２夫々の識別情報に関連付けて、画像がコピーされたコピー回数、及びコピーの上限回数が記憶してある。
【０１０２】
ＭＦＰ１の読取部１８２は、読取部１８２の画像読取位置にセットされた原稿の画像を光学的に読み取る。読み取られた画像（通常画像）は画像メモリ２０に記憶される。ＣＰＵ１０は、画像メモリ２０に記憶された通常画像の所定位置の画像がバーコードの画像であるか否か（即ちバーコードの有無）を判定し、バーコードである場合は、このバーコードが示す識別情報を読み取る。なお、読取部１８２にバーコードリーダを備え、バーコードリーダが、読み取ったバーコードが示す識別情報をＣＰＵ１０へ出力してもよい。この場合、識別情報が入力されないときに、ＣＰＵ１０は原稿にバーコードが付与されていないと判定する。
【０１０３】
なお、バーコードの代わりに、例えば２次元コードであるＱＲコードを用いてもよく、この場合も同様にＭＦＰ１を構成することができる。
【０１０４】
図９は、ＣＰＵ１０が実行する許可／禁止判定処理の手順を示すフローチャートである。ＣＰＵ１０は、図４（ａ）に示すような許可画面を表示部１４１に表示させ、更に、両キー（ＦＡＸ通信キー１４ａ及びコピーキー１４ｂの両方）を操作部１４２に設ける（Ｓ５１）。ＣＰＵ１０は、Ｓ５１で設けた両キーの一方が操作されたか否かを判定し（Ｓ５２）、操作されていない場合（Ｓ５２でＮＯ）、操作されるまで待機する。
【０１０５】
両キーの一方が操作された場合（Ｓ５２でＹＥＳ）、ＣＰＵ１０は、操作されたＦＡＸ通信キー１４ａ又はコピーキー１４ｂに応じて、ＦＡＸ通信による送信に係る処理内容（宛先のＦＡＸ番号、解像度等）又はコピーに係る処理内容（濃度、コピー枚数等）を受け付ける（Ｓ５３）。更に、ＣＰＵ１０は、読取部１８２の画像読取位置にセットされた原稿を読取部１８２で読み取り（Ｓ５４）、読み取った通常画像を画像メモリ２０に記憶させる（Ｓ５５）。
【０１０６】
ＣＰＵ１０は、画像メモリ２０に記憶させた通常画像におけるバーコードの有無を判定し（Ｓ５６）、バーコードが存在している場合（Ｓ５６でＹＥＳ）、通常画像中のバーコードから識別情報を読み取る（Ｓ５７）。
【０１０７】
更に、ＣＰＵ１０は、Ｓ５７で読み取った識別情報に基づいて処理態様記憶部１３１を検索し（Ｓ５８）、読み取った識別情報に関連付けて、Ｓ５２で操作されたファンクションキーに対応する処理が許可されていることを示す情報が、処理態様記憶部１３１に記憶してあるか否かを判定する（Ｓ５９）。
【０１０８】
Ｓ５２で操作されたファンクションキーに対応する処理が禁止されていることを示す情報が処理態様記憶部１３１に記憶されている場合（Ｓ５９でＮＯ）、ＣＰＵ１０は、所定時間の間、Ｓ５２で操作されたファンクションキーに対応する処理が禁止されていることをユーザに報知する禁止画面を表示部１４１に表示させ（Ｓ６０）、画像の処理を行なわずに、Ｓ５５で画像メモリ２０に記憶させた通常画像を消去して（Ｓ６１）、処理をＳ５１へ戻す。
【０１０９】
Ｓ５２で操作されたファンクションキーに対応する処理が許可されていることを示す情報が処理態様記憶部１３１に記憶されている場合（Ｓ５９でＹＥＳ）、ＣＰＵ１０は処理を図６に示すＳ３１へ移して、実施の形態１と同様に許可された処理を実行し、Ｓ３２で画像メモリ２０に記憶させた通常画像を消去する。更に、コピー回数に制限がある場合はコピー回数をインクリメントし、コピー回数が上限回数に達した場合は、コピーを禁止する。Ｓ３１〜Ｓ３７の処理完了後、ＣＰＵ１０は、処理をＳ５１へ戻す。
【０１１０】
Ｓ５５で画像メモリ２０に記憶させた通常画像にバーコードが含まれていない場合（Ｓ５６でＮＯ）、ＣＰＵ１０は処理をＳ３１へ移して、実施の形態１と同様に許可された処理を実行し、Ｓ３２で画像メモリ２０に記憶させた通常画像を消去してから、処理をＳ５１へ戻す。
【０１１１】
以上のような許可／禁止判定処理におけるＭＦＰ１は、原稿の画像を読み取り、読み取った画像を、該画像に対して許可されている処理態様で処理（読み取った画像の外部への送信、又は読み取った画像のプリントアウト）する画像処理装置として機能する。また、読取部１８２及びＣＰＵ１０は、識別情報が付与されている原稿に付与された識別情報を読み取る識別情報読取手段、即ち原稿に付与された１次元コードが示す識別情報を読み取る識別情報読取手段として機能する。更に、処理態様記憶部１３１は、原稿に付与される識別情報、及び、原稿から読み取った画像に対して禁止されている処理態様を関連付けて記憶する処理態様記憶手段として機能する。
【０１１２】
更に、Ｓ５９でＮＯの場合のＣＰＵ１０は、前記識別情報読取手段が前記原稿に付与された識別情報を読み取った場合、読み取った識別情報に関連付けて前記処理態様記憶手段に記憶されている処理態様で、読み取った画像を処理しないようにする処理禁止手段として機能する。
【０１１３】
その他、実施の形態１に対応する部分には同一符号を付してそれらの説明を省略する。
【０１１４】
以上のようなＭＦＰ１は、バーコードＣ１，Ｃ２を利用して、原稿の画像に対する処理を制限することができる（コピー禁止、送信禁止、回数制限、禁止された処理の報知）。これにより、正確なパスワードの入力、正規のキーカウンタの挿入等を行なうことなく、社外秘、社内秘等、コピー不可又は外部への送信不可の画像を有する原稿を、部外者が勝手にコピー又は送信することを防止することができる。また、バーコードＣ１，Ｃ２が示す識別情報に基づいて、個々の原稿の画像に対してコピーの許可／禁止を判定することができるため、例えばＯＣＲソフトを用いた画像の解析を行なうことなく、正規のユーザが誤って又は悪意をもって、コピー不可又は外部への送信不可の画像を有する原稿をコピー又は送信することを防止することができる。
【０１１５】
更に、コピーされた画像、又は外部へ送信された画像にもバーコードが付与されるため、コピーされた画像、又は外部へ送信された画像のコピー及び送信も、バーコードによって制限することができる。
【０１１６】
なお、バーコードを削除してから画像をコピー又は送信してもよい。また、バーコードの原稿に対する付与位置が原稿毎に異なる構成でもよいが、この場合、バーコードの読み取りに長時間を要する。更に、例えばシート状の原稿の表面にのみ画像が形成されている場合、裏面にバーコードを付与する構成でもよい。この場合、バーコードの読み取りの際に、画像とバーコードとの切り分けが容易であり、しかも、原稿の表面に、画像以外の不要な情報が含まれない。
【０１１７】
更にまた、バーコードを書籍の背表紙、裏表紙等に付与してもよい。この場合、例えば、バーコードの読み取りを行なってから、コピー／送信が許可されている場合に、書籍の中身のコピー／送信を行なうことができ、コピー／送信が禁止されている場合には、画像の無駄な読み取りを行なう必要がない。
【０１１８】
更に、ＩＣタグの識別情報を読み取れなかった場合に、１次元コード又は２次元コードを読み取る構成としてもよい。
【図面の簡単な説明】
【０１１９】
【図１】本発明の実施の形態１に係る画像処理装置としてのＭＦＰを備える通信システムの構成を示す説明図である。
【図２】本発明の実施の形態１に係るＭＦＰの構成を示すブロック図である。
【図３】本発明の実施の形態１に係るＭＦＰが備える処理態様記憶部に記憶してあるデータの一例を示す模式図である。
【図４】本発明の実施の形態１に係るＭＦＰが備える表示部に表示される画面及び操作部に設けられるキーの一例を示す模式図である。
【図５】本発明の実施の形態１に係るＭＦＰのＣＰＵが実行する許可／禁止判定処理の手順を示すフローチャートである。
【図６】本発明の実施の形態１に係るＭＦＰのＣＰＵが実行する許可／禁止判定処理の手順を示すフローチャートである。
【図７】本発明の実施の形態２に係る画像処理装置としてのＭＦＰの構成を示すブロック図である。
【図８】本発明の実施の形態２に係るＭＦＰに対して使用される原稿の一例を示す説明図である。
【図９】本発明の実施の形態２に係るＭＦＰのＣＰＵが実行する許可／禁止判定処理の手順を示すフローチャートである。
【符号の説明】
【０１２０】
１      ＭＦＰ（画像処理装置）
１０    ＣＰＵ
１３１  処理態様記憶部（処理態様記憶手段）
１７    モデム
１８２  読取部（識別情報読取手段）
２１    記録部
２３    タグリーダ（識別情報読取手段）
Ｃ１，Ｃ２  バーコード（１次元コード）
Ｔ１，Ｔ２，Ｔ３，Ｔ４  ＩＣタグ（記憶媒体）
【図１】
2006335051.tif 000003
【図２】
2006335051.tif 000004
【図３】
2006335051.tif 000005
【図４】
2006335051.tif 000006
【図５】
2006335051.tif 000007
【図６】
2006335051.tif 000008
【図７】
2006335051.tif 000009
【図８】
2006335051.tif 000010
【図９】
2006335051.tif 000011